(57)【要約】【課題】  脚立又は作業台に転倒又は落下防止の補助部材を簡単かつ確実に取付けると共に補助部材の取り外しも容易かつ迅速に行なうことが可能な金具装置を提供する。【解決手段】  側端部断面が溝形形状の脚立又は作業台１２の天板１３に、転倒又は落下防止の補助部材１１を取付ける金具装置１０であって、天板１３の側部に当接して固定される第１の固定金具３１と、第１の固定金具３１に回動又は固定状態で取付けられて補助部材１１の端部が取付けられる第２の固定金具３２とを有し、しかも、第１の固定金具３１は、天板１３の端部側板３３に設けられた掛止孔３４に嵌入する抜け止めピン３５を備えた垂直板部３６と、垂直板部３６の下端に連接し、天板１３の端部下板３７に当接する水平板部３８と、水平板部３８に取付けられて端部下板３７の内側端部３９に掛止可能に設けられたロック部材４０とを有する。【選択図】        図１
2005330707.tif 000002
【特許請求の範囲】
【請求項１】
側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられる第２の固定金具とを有し、
しかも、前記第１の固定金具は、前記天板の端部側板に設けられた掛止孔に嵌入する抜け止めピンを備えた垂直板部と、該垂直板部の下端に連接し、前記天板の端部下板に当接する水平板部と、前記水平板部に取付けられて前記端部下板の内側端部に掛止可能に設けられたロック部材とを有することを特徴とする金具装置。
【請求項２】
側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられる第２の固定金具とを有し、
しかも、前記第１の固定金具は、前記天板の端部側板に設けられた掛止孔に嵌入する抜け止めピンを備えた垂直板部と、該垂直板部の上端に連接し前記天板の端部上板に当接する水平板部と、前記水平板部に取付けられて前記端部上板に設けられた貫通孔に抜き差し可能に設けられたロック部材とを有することを特徴とする金具装置。
【請求項３】
請求項１記載の金具装置において、前記ロック部材には、前記端部下板に設けられた貫通孔又は前記端部下板の内側端部に掛止可能な掛止ピンを備えることを特徴とするる金具装置。
【請求項４】
請求項１記載の金具装置において、前記ロック部材には、前記端部下板の内側端部に当接するカム板と、該カム板を回転させるノブを有するカム機構を備えることを特徴とする金具装置。
【請求項５】
請求項１記載の金具装置において、前記ロック部材は、前記端部下板の内側端部に掛止可能な掛止爪と、該掛止爪を前記端部下板の内側端部に掛止して当接した状態で保持する支点超えリンク機構を備えることを特徴とする金具装置。
【請求項６】
側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられる第２の固定金具とを有し、
しかも、前記第１の固定金具は、前記天板の端部側板に設けられた掛止孔に抜き差し可能に嵌入する掛止ピンを有するロック部材を備えた垂直板部と、該垂直板部の下端に連接し、前記天板の端部下板に当接する水平板部と、前記水平板部に取付けられて前記端部下板の内側端部に掛止可能に設けられた抜け止めピンとを有することを特徴とする金具装置。
【請求項７】
側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられる第２の固定金具とを有し、
しかも、前記第１の固定金具は、前記天板の端部側板に設けられた掛止孔に抜き差し可能に嵌入する掛止ピンを有するロック部材を備えた垂直板部と、該垂直板部の上端に連接し前記天板の端部上板に当接する水平板部と、前記水平板部に取付けられて前記端部上板に設けられた貫通孔に嵌入する抜け止めピンを有することを特徴とする金具装置。
【請求項８】
請求項１〜７のいずれか１項に記載の金具装置において、前記抜け止めピン及び前記ロック部材のいずれか一方又は双方がそれぞれ対応する垂直板部又は水平板部に複数設けられていることを特徴とする金具装置。
【請求項９】
側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられた第２の固定金具とを有し、
しかも、前記第１の固定金具は、前記天板の端部側板に当接する垂直板部と、前記天板の端部上板及び端部下板に当接する上下の水平板部と、前記上下の水平板部にそれぞれ取付けられて前記上の水平板部を前記端部上板に設けられた貫通孔に掛止可能に設けられた第１のロック部材と、前記端部下板の内側端部に掛止可能に設けられた第２のロック部材とを有することを特徴とする金具装置。
【請求項１０】
請求項９記載の金具装置において、前記第１のロック部材は、バネによって掛止方向に付勢された掛止ピンであることを特徴とする金具装置。
【請求項１１】
側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられた第２の固定金具とを有し、
しかも、前記第１の固定金具は、前記天板の端部側板に当接する垂直板部と、前記天板の端部上板及び端部下板に当接する上下の水平板部と、前記下の水平板部に取付けられて前記端部下板の内側端部に掛止可能に設けられた第２のロック部材とを有することを特徴とする金具装置。
【請求項１２】
請求項９〜１１のいずれか１項に記載の金具装置において、前記垂直板部は、前記天板の側部に当接して該天板の端部側板に設けられた掛止孔に嵌入する抜け止めピンを備えていることを特徴とする金具装置。
【請求項１３】
請求項９〜１２のいずれか１項に記載の金具装置において、前記第２のロック部材は、バネによって掛止方向に付勢された掛止ピン、前記端部下板の内側端部に当接するカム板と該カム板を回転させるノブを有するカム機構、及び前記端部下板の内側端部に掛止可能な掛止爪と、該掛止爪を前記端部下板の内側端部に掛止して当接した状態で保持する支点超えリンク機構のいずれか１つを備えることを特徴とする金具装置。
【請求項１４】
請求項９〜１３のいずれか１項に記載の金具装置において、前記第２のロック部材は、前記下の水平板部に複数設けられていることを特徴とする金具装置。
【請求項１５】
請求項１〜１４のいずれか１項に記載の金具装置において、前記第２の固定金具は前記第１の固定金具に回転不能に取付けられていることを特徴とする金具装置。
【請求項１６】
請求項１５記載の金具装置において、前記第２の固定金具はねじであって、前記補助部材は前記第１の固定金具に直接取付けられていることを特徴とする金具装置。
【請求項１７】
請求項１〜１４のいずれか１項に記載の金具装置において、前記第２の固定金具は前記第１の固定金具に回転可能に取付けられていることを特徴とする金具装置。
【請求項１８】
請求項１７記載の金具装置において、前記第２の固定金具には該第２の固定金具が受ける荷重によって自動的に前記第１の固定金具に対する該第２の固定金具の移動を不能にする第１の移動防止機構が設けられていることを特徴とする金具装置。
【請求項１９】
請求項１〜１８のいずれか１項に記載の金具装置において、前記補助部材は、アウトリガー及び手摺りのいずれか一方であることを特徴とする金具装置。
【請求項２０】
請求項１〜１８のいずれか１項に記載の金具装置において、前記補助部材は、アウトリガー及び手摺りであって、該アウトリガーは前記第２の固定金具に設けられ、該手摺りは前記第１の固定金具に設けられていることを特徴とする金具装置。
【請求項２１】
請求項２０記載の金具装置において、前記第２の固定金具には、前記アウトリガーが受ける荷重によって自動的に該アウトリガーを該第２の固定金具に対して移動不能にする第２の移動防止機構が設けられていることを特徴とする金具装置。
【発明の詳細な説明】
【技術分野】
【０００１】
本発明は、建設現場等の高所作業で使用する脚立又は作業台に転倒又は落下防止の補助部材を取付ける金具装置に関する。
【背景技術】
【０００２】
可搬式作業台の天板に載って作業を行う際の安全性を確保する方法として、図１８に示すように、長方形状の天板２００に対となる梯子状の主脚２０１、２０２を折り畳み可能に設け、天板２００又は主脚２０１、２０２の幅方向の一方側にそれぞれ手掛け部材２０３、２０４を折り畳み可能に取付け、天板２００の長辺側に着脱可能な手摺り２０５が設けられた作業用足場台２０６が提案されている。
ここで、図１９、図２０に示すように、天板２００の長辺側の下面側には、端部に連接された長辺側側壁２０７と長辺側側壁２０７から内側に長辺側中間壁２０８が設けられている。また、手摺り２０５の縦桟２０９の下端部には、天板２００の長辺側側壁２０７に当接する垂直部２１０と、垂直部２１０から延び天板２００の長辺側中間壁２０８が形成する溝部２１１に嵌入する立上り部２１２と、垂直部２１０及び立上り部２１２を連結する接続部２１３を具えた固定用部材２１４が、例えばボルト、ナットやリベットで取付けられている。更に、天板２００の上面には、手摺り２０５の縦桟２０９の下端部に当接して支持するＬ字形状の板状部材２１５が、例えばボルト、ナット、リベットで取付けられている。そして、図２０に示すように、板状部材２１５と固定用部材２１４とにより天板２００の長辺側端部２０７を挟持し、板状部材２１５及び天板２００にそれぞれ穿設した孔２１６、２１７の中心位置を合わせ、各孔２１６、２１７に手摺り２０５の縦桟２０９にワイヤー２１９を介して取付けられているピン２１８を挿通する。これによって、天板２００の長辺側に手摺り２０５を取付けた際に、手摺り２０５がワイヤー２１９を介して天板２００に掛止されることになるため、手摺り２０５が外側に回転するのが防止される。なお、手摺り２０５の取り外しは、ピン２１８を抜くことによって行うことができる（例えば、特許文献１参照）。
更に、手摺りの取付ける方法として、天板の側部に手摺りのサイズに合わせてソケットを、例えば、リベットやネジで予め固定しておき、可搬式作業台を使用する際に、ソケットに手摺りを差し込んでピンを介してソケットに固定する方法がある。
【０００３】
【特許文献１】特開２００１−１５２６５９号公報
【発明の開示】
【発明が解決しようとする課題】
【０００４】
しかしながら、特許文献１に記載された手摺り２０５の取付けでは、固定用部材２１４の立上り部２１２を溝部２１１に嵌入するために手摺り２０５自体を大きく回転させる必要がある。更に、立上り部２１２が溝部２１１に嵌入されると共に手摺り２０５の縦桟２０９の下端部が板状部材２１５に当接したことが確認されてから、ピン２１８を孔２１６、２１７に挿通しなければならない。このため、手摺り２０５を取付ける際の作業性が低下するという問題が生じる。更に、手摺り２０５を取り外した際には、ピン２１８が手摺り２０５にワイヤー２１９で吊り下げられる状態になるため、ワイヤー２１９が切れやすく、手摺り２０５の取り扱いに支障が生じるという問題がある。
また、天板の側部にソケットを予め固定する方法では、ソケットが天板の側部から常時突出した状態になっているため、天板の側部に別の部品（例えば、アウトリガー）を取付け部材を介して取付ける際に、ソケットと取付け部材に干渉が生じやすいという問題がある。
【０００５】
本発明はかかる事情に鑑みてなされたもので、脚立又は作業台に転倒又は落下防止の補助部材を簡単かつ確実に取付けると共に補助部材の取り外しも容易かつ迅速に行なうことが可能な金具装置を提供することを目的とする。
【課題を解決するための手段】
【０００６】
前記目的に沿う請求項１記載の金具装置は、側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられる第２の固定金具とを有し、
しかも、前記第１の固定金具は、前記天板の端部側板に設けられた掛止孔に嵌入する抜け止めピンを備えた垂直板部と、該垂直板部の下端に連接し、前記天板の端部下板に当接する水平板部と、前記水平板部に取付けられて前記端部下板の内側端部に掛止可能に設けられたロック部材とを有する。
【０００７】
前記目的に沿う請求項２記載の金具装置は、側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられる第２の固定金具とを有し、
しかも、前記第１の固定金具は、前記天板の端部側板に設けられた掛止孔に嵌入する抜け止めピンを備えた垂直板部と、該垂直板部の上端に連接し前記天板の端部上板に当接する水平板部と、前記水平板部に取付けられて前記端部上板に設けられた貫通孔に抜き差し可能に設けられた掛止ピンを備えたロック部材とを有する。
【０００８】
請求項３記載の金具装置は、請求項１記載の金具装置において、前記ロック部材には、前記端部下板に設けられた貫通孔又は前記端部下板の内側端部に掛止可能な掛止ピンを備える。
【０００９】
請求項４記載の金具装置は、請求項１記載の金具装置において、前記ロック部材には、前記端部下板の内側端部に当接するカム板と、該カム板を回転させるノブを有するカム機構を備える。
【００１０】
請求項５記載の金具装置は、請求項１記載の金具装置において、前記ロック部材は、前記端部下板の内側端部に掛止可能な掛止爪と、該掛止爪を前記端部下板の内側端部に掛止して当接した状態で保持する支点超えリンク機構を備える。
【００１１】
前記目的に沿う請求項６記載の金具装置は、側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられる第２の固定金具とを有し、
しかも、前記第１の固定金具は、前記天板の端部側板に設けられた掛止孔に抜き差し可能に嵌入する掛止ピンを有するロック部材を備えた垂直板部と、該垂直板部の下端に連接し、前記天板の端部下板に当接する水平板部と、前記水平板部に取付けられて前記端部下板の内側端部に掛止可能に設けられた抜け止めピンとを有する。
【００１２】
目的に沿う請求項７記載の金具装置は、側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられる第２の固定金具とを有し、
しかも、前記第１の固定金具は、前記天板の端部側板に設けられた掛止孔に抜き差し可能に嵌入する掛止ピンを有するロック部材を備えた垂直板部と、該垂直板部の上端に連接し前記天板の端部上板に当接する水平板部と、前記水平板部に取付けられて前記端部上板に設けられた貫通孔に嵌入する抜け止めピンを有する。
【００１３】
請求項８記載の金具装置は、請求項１〜７記載の金具装置において、前記抜け止めピン及び前記ロック部材のいずれか一方又は双方がそれぞれ対応する垂直板部又は水平板部に複数設けられている。
【００１４】
前記目的に沿う請求項９記載の金具装置は、側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられた第２の固定金具とを有し、
しかも、前記第１の固定金具は、前記天板の端部側板に当接する垂直板部と、前記天板の端部上板及び端部下板に当接する上下の水平板部と、前記上下の水平板部にそれぞれ取付けられて前記上の水平板部を前記端部上板に掛止可能に設けられた第１のロック部材と、前記端部下板の内側端部に掛止可能に設けられた第２のロック部材とを有する。
【００１５】
請求項１０記載の金具装置は、請求項９記載の金具装置において、前記第１のロック部材は、バネによって掛止方向に付勢された掛止ピンである。
【００１６】
前記目的に沿う請求項１１記載の金具装置は、側端部断面が溝形形状の脚立又は作業台の天板に、転倒又は落下防止の補助部材を取付ける金具装置であって、
前記天板の側部に当接して固定される第１の固定金具と、該第１の固定金具に取付けられて前記補助部材の端部が取付けられた第２の固定金具とを有し、
しかも、前記第１の固定金具は、前記天板の端部側板に当接する垂直板部と、前記天板の端部上板及び端部下板に当接する上下の水平板部と、前記下の水平板部に取付けられて前記端部下板の内側端部に掛止可能に設けられた第２のロック部材とを有する。
【００１７】
請求項１２記載の金具装置は、請求項９〜１１記載の金具装置において、前記垂直板部は、前記天板の側部に当接して該天板の端部側板に設けられた掛止孔に嵌入する抜け止めピンを備えている。
【００１８】
請求項１３記載の金具装置は、請求項９〜１２記載の金具装置において、前記第２のロック部材は、バネによって掛止方向に付勢された掛止ピン、前記端部下板の内側端部に当接するカム板と該カム板を回転させるノブを有するカム機構、及び前記端部下板の内側端部に掛止可能な掛止爪と、該掛止爪を前記端部下板の内側端部に掛止して当接した状態で保持する支点超えリンク機構のいずれか１つを備える。
【００１９】
請求項１４記載の金具装置は、請求項９〜１３記載の金具装置において、前記第２のロック部材は、前記下の水平板部に複数設けられている。なお、請求項９、１０及びこれらに従属する請求項１２、１３に記載の金具装置において、前記第１のロック部材は、前記上の水平板部に複数設けてもよい。
【００２０】
請求項１５記載の金具装置は、請求項１〜１４記載の金具装置において、前記第２の固定金具は前記第１の固定金具に回転不能に取付けられている。
【００２１】
請求項１６記載の金具装置は、請求項１５記載の金具装置において、前記第２の固定金具はねじであって、前記補助部材は前記第１の固定金具に直接取付けられている。
【００２２】
請求項１７記載の金具装置は、請求項１〜１４記載の金具装置において、前記第２の固定金具は前記第１の固定金具に回転可能に取付けられている。
【００２３】
請求項１８記載の金具装置は、請求項１７記載の金具装置において、前記第２の固定金具には該第２の固定金具が受ける荷重によって自動的に前記第１の固定金具に対する該第２の固定金具の移動を不能にする第１の移動防止機構が設けられている。
【００２４】
請求項１９記載の金具装置は、請求項１〜１８記載の金具装置において、前記補助部材は、アウトリガー及び手摺りのいずれか一方である。
【００２５】
請求項２０記載の金具装置は、請求項１〜１８記載の金具装置において、前記補助部材は、アウトリガー及び手摺りであって、該アウトリガーは前記第２の固定金具に設けられ、該手摺りは前記第１の固定金具に設けられている。
【００２６】
請求項２１記載の金具装置は、請求項２０記載の金具装置において、前記第２の固定金具には、前記アウトリガーが受ける荷重によって自動的に該アウトリガーを該第２の固定金具に対して移動不能にする第２の移動防止機構が設けられている。
【発明の効果】
【００２７】
請求項１及びこれに従属する請求項３〜５、８、１５〜２１記載の金具装置は、天板の側部に固定される第１の固定金具と、第１の固定金具に取付けられて補助部材の端部が取付けられる第２の固定金具とを有し、第１の固定金具は天板の端部側板に設けられた掛止孔に嵌入する抜け止めピンを備えた垂直板部と、垂直板部の下端に連接し天板の端部下板に当接する水平板部と、水平板部に取付けられて端部下板の内側端部に掛止可能に設けられたロック部材を有するので、補助部材を簡単に取付けると共に補助部材の取り外しも容易に行なうことが可能になる。更に、天板の上面側に金具装置の一部が存在しないので、天板上面を有効に使用でき作業効率が向上する。
【００２８】
請求項２及びこれに従属する請求項８、１５〜２１記載の金具装置は、天板の側部に固定される第１の固定金具と、第１の固定金具に取付けられて補助部材の端部が取付けられる第２の固定金具とを有し、第１の固定金具は天板の端部側板に設けられた掛止孔に嵌入する抜け止めピンを備えた垂直板部と、垂直板の上端に連接し前記天板の端部上板に当接する水平板部と、水平板部に取付けられて端部上板に設けられた貫通孔に抜き差し可能に設けられたロック部材を有するので、補助部材を簡単に取付けると共に補助部材の取り外しも容易に行なうことが可能になる。更に、天板の端部上板に水平板部が設けられているので、第１の固定金具の脱落が防止でき、補助部材の取付けをより確実に行なうことができる。
【００２９】
特に、請求項３記載の金具装置においては、ロック部材には、端部下板に設けられた貫通孔又は端部下板の内側端部に掛止可能な掛止ピンを備えるので、掛止ピンの操作で天板に対する第１の固定金具の着脱を行なうことが可能になる。
【００３０】
請求項４記載の金具装置においては、ロック部材には、端部下板の内側端部に当接するカム板と、カム板を回転させるノブを有するカム機構を備えるので、カム板の操作で天板に対する第１の固定金具の着脱を行なうことが可能になる。
【００３１】
請求項５記載の金具装置においては、ロック部材は、端部下板の内側端部に掛止可能な掛止爪と、掛止爪を端部下板の内側端部に掛止して当接した状態で保持する支点超えリンク機構を備えるので、第１の固定金具の天板に対する着脱を強固にかつ素早く行なうことが可能になる。
【００３２】
請求項６及びこれに従属する請求項８、１５〜２１記載の金具装置は、天板の側部に固定される第１の固定金具と、第１の固定金具に取付けられて補助部材の端部が取付けられる第２の固定金具とを有し、第１の固定金具は、天板の端部側板に設けられた掛止孔に抜き差し可能に嵌入する掛止ピンを有するロック部材を備えた垂直板部と、垂直板部の下端に連接し、天板の端部下板に当接する水平板部と、水平板部に取付けられて端部下板の内側端部に掛止可能に設けられた抜け止めピンとを有するので、補助部材を簡単に取付けると共に補助部材の取り外しも容易に行なうことが可能になる。更に、天板の上面側に金具装置の一部が存在しないので、天板上面を有効に使用でき作業効率が向上する。
【００３３】
請求項７及びこれに従属する請求項８、１５〜２１記載の金具装置は、天板の側部に固定される第１の固定金具と、第１の固定金具に取付けられて補助部材の端部が取付けられる第２の固定金具とを有し、第１の固定金具は、天板の端部側板に設けられた掛止孔に抜き差し可能に嵌入する掛止ピンを有するロック部材を備えた垂直板部と、垂直板部の上端に連接し天板の端部上板に当接する水平板部と、水平板部に取付けられて端部上板に設けられた貫通孔に嵌入する抜け止めピンを有するので、補助部材を簡単に取付けると共に補助部材の取り外しも容易に行なうことが可能になる。更に、天板の端部上板に水平板部が設けられているので、第１の固定金具の脱落が防止でき、補助部材の取付けをより確実に行なうことができる。
【００３４】
特に、請求項８記載の金具装置においては、抜け止めピン及びロック部材のいずれか一方又は双方がそれぞれ対応する垂直板部又は水平板部に複数設けられているので、第１の固定金具を天板に強固に固定することができ、天板に対する補助部材の取付けを確実に行なうことが可能になる。
【００３５】
請求項９及びこれに従属する請求項１０、１２〜２１記載の金具装置は、補助部材が取付けられた第２の固定金具が固定された第１の固定金具で天板の側部を上下方向から把持しながら第１及び第２のロック部材で天板の側部から抜けるのを防止することができるので、転倒又は落下防止の補助部材を簡単かつ強固に取付けることが可能になる。
【００３６】
特に、請求項１０記載の金具装置においては、第１のロック部材は、バネによって掛止方向に付勢された掛止ピンであるので、掛止ピンを貫通孔に自動的に嵌入させることができ、第１の固定金具を天板に確実に掛止することが可能になる。
【００３７】
請求項１１及びこれに従属する請求項１２〜２１記載の金具装置は、補助部材が取付けられた第２の固定金具が固定された第１の固定金具で天板の側部を上下方向から把持しながら第２のロック部材で天板の側部から抜けるのを防止することができるので、転倒又は落下防止の補助部材を簡便に取付けることが可能になると共に、補助部材の取り外しも容易かつ迅速に行なうことが可能になる。
【００３８】
特に、請求項１２記載の金具装置においては、垂直板部は、天板の側部に当接して天板の端部側板に設けられた掛止孔に嵌入する抜け止めピンを備えているので、金具装置の天板に対する位置決めを行なうことができ、金具装置を天板の所定位置に確実に取付けることが可能になる。
【００３９】
請求項１３記載の金具装置においては、第２のロック部材は、バネによって掛止方向に付勢された掛止ピン、端部下板の内側端部に当接するカム板とカム板を回転させるノブを有するカム機構、及び端部下板の内側端部に掛止可能な掛止爪と、掛止爪を端部下板の内側端部に掛止して当接した状態で保持する支点超えリンク機構のいずれか１つを備えるので、使用状況に合わせて第２のロック部材を選択することができ、天板に対する補助部材の取付けを容易に行なうことが可能になる。
【００４０】
請求項１４記載の金具装置においては、第２のロック部材が、下の水平板部に複数設けられているので、第１の固定金具を天板に強固に固定することができ、天板に対する補助部材の取付けを確実に行なうことが可能になる。
【００４１】
請求項１５記載の金具装置においては、第２の固定金具は第１の固定金具に回転不能に取付けられているので、使用時において補助部材が移動するのを防止でき、脚立又は作業台の転倒、あるいは脚立又は作業台からの落下防止を確実に行なうことができる。
【００４２】
請求項１６記載の金具装置においては、第２の固定金具はねじであって、補助部材は第１の固定金具に直接取付けられているので、第２の固定金具の構成を簡単にすることができ、製造コストを低減することが可能になる。
【００４３】
請求項１７記載の金具装置においては、第２の固定金具は第１の固定金具に回転可能に取付けられているので、第２の固定金具を設置場所の状況に合わせて最適な位置にセットすることができ、補助部材を効果的にセットすることが可能になる。
【００４４】
請求項１８記載の金具装置においては、第２の固定金具には第２の固定金具が受ける荷重によって自動的に第１の固定金具に対する第２の固定金具の移動を不能にする第１の移動防止機構が設けられているので、第２の固定金具を最適な位置に回転させた後に第１の固定金具に対して固定することができ、最適な位置にセットした補助部材を天板に確実に取付けることが可能になる。
【００４５】
請求項１９記載の金具装置においては、補助部材は、アウトリガー及び手摺りのいずれか一方であるので、アウトリガー又は手摺りを天板に簡単かつ確実に取付けることができ、脚立又は作業台を組み立て使用状態に素早くすることが可能になる。
【００４６】
請求項２０記載の金具装置においては、補助部材は、アウトリガー及び手摺りであって、アウトリガーは第２の固定金具に設けられ、手摺りは第１の固定金具に設けられているので、アウトリガー及び手摺りを天板に同時に簡単かつ確実に取付けることができ、脚立又は作業台を組み立て使用状態に素早くすることが可能になる。
【００４７】
請求項２１記載の金具装置においては、第２の固定金具には、アウトリガーが受ける荷重によって自動的にアウトリガーを第２の固定金具に対して移動不能にする第２の移動防止機構が設けられているので、アウトリガーを第２の固定金具に固定することができ、脚立又は作業台の転倒を確実に防止することができる。
【発明を実施するための最良の形態】
【００４８】
続いて、添付した図面を参照しつつ、本発明を具体化した実施の形態につき説明し、本発明の理解に供する。
ここで、図１（Ａ）、（Ｂ）は本発明の第１の実施の形態に係る金具装置を適用してアウトリガーを取付けた作業台の平面図、正面図、図２は同金具装置を適用してアウトリガーを取付けた作業台の側面図、図３は同金具装置の平面図、図４（Ａ）は同金具装置の断面図、（Ｂ）は第１の固定金具の垂直板部に備えられた抜け止めピンの説明図、図５（Ａ）は同金具装置で取付けるアウトリガーの平面図及び側面図、（Ｂ）は（Ａ）のａ−ａ矢視断面図、（Ｃ）は（Ａ）のｂ−ｂ矢視断面図、図６はロック部材のロック状態における一部切り欠き断面図、図７（Ａ）、（Ｂ）はそれぞれ本発明の第２の実施の形態に係る金具装置の平面図及び断面図、図８（Ａ）は本発明の第３の実施の形態に係る金具装置の掛止状態を示す一部切り欠き平断面図、（Ｂ）は同金具装置の掛止状態を示す一部切り欠き側断面図、（Ｃ）は同金具装置の掛止前の状態を示す一部切り欠き平断面図、図９（Ａ）、（Ｂ）は本発明の第４の実施の形態に係る金具装置の掛止状態及び掛止前の状態を示す一部切り欠き側断面図、図１０（Ａ）、（Ｂ）はそれぞれ本発明の第５の実施の形態に係る金具装置の平面図及び断面図、図１１は本発明の第６の実施の形態に係る金具装置を適用して手摺りを取付けた作業台の正面図、図１２は同金具装置を適用して手摺りを取付けた作業台の側面図、図１３は同金具装置で取付ける手摺りの平面図及び正面図、図１４は同金具装置を取付けた手摺りの説明図、図１５は同金具装置の取付け状態を示す説明図、図１６は本発明の第７の実施の形態に係る金具装置の側面図、図１７（Ａ）は同金具装置の正面図、（Ｂ）は同金具装置の第２の固定金具に設けられた取付け板部の説明図である。
【００４９】
図１（Ａ）、（Ｂ）、図２に示すように、本発明の第１の実施の形態に係る金具装置１０を適用して補助部材の一例であるアウトリガー１１を取付けた作業台１２は、天板１３と、天板１３の両側（本実施の形態では、天板１３の長手方向両端側）に折り畳み可能に設けられた対となる梯子状の支持脚１４を有している。以下、これらについて詳細に説明する。
天板１３は、例えば、側端部断面が溝型形状を有する矩形状の枠体１５に足場板１６を取付けることによって形成されており、複数の作業者が載っても十分耐えうる強度を有する。なお、足場板１６には滑り止め用のバーリング加工による孔１６ａが多数形成されている。また、天板１３の両側に折り畳み可能に設けられた対となる梯子状の支持脚１４は、対となる脚柱１８、１９と、脚柱１８、１９間に上下方向に間隔を開けて横架される複数の踏み桟２０を有している。そして、各支持脚１４は、天板１３の両側に折り畳み連結機構２１、２２を介して配設されている。
【００５０】
支持脚１４を構成する対となる脚柱１８、１９においては、図２に示すように、その上端部は天板１３の幅と同一間隔をあけて平行に上方に伸延している。一方、上端部を除いた脚柱１８、１９の部分は、脚柱１８、１９間の幅方向に対称に傾斜しており、下方にいくにつれて、漸次、両者間の幅を拡大している。これによって、支持脚１４によって、天板１３を床面２３上に安定状態に支持することができる。
更に、天板１３の両端部の側面側と、支持脚１４の上部との間には、折り畳み連結機構２１、２２の操作に合わせて折り畳み可能な開き止め金具２４が並べて架設されている。これによって、天板１３の両端部における支持脚１４の開脚角度の拡がりを防止して、天板１３を床面２３上に安定状態に支持することができる。
また、折り畳み連結機構２１（２２）は、枠体１５の両端部に固着されている固定板２５（２６）に、支持脚１４の上端部に固着されている可動板２７（２８）を枢軸２９（３０）によって回転自在に連結することによって構成されている。ここで、折り畳み連結機構２１の可動板２７の寸法が折り畳み連結機構２２の可動板２８より大きく形成されている。
【００５１】
図３、図４（Ａ）に示すように、金具装置１０は、枠体１５の長辺側の側部に当接して固定される第１の固定金具３１と、第１の固定金具３１に取付けられてアウトリガー１１の上部が取付けられる第２の固定金具３２を有している。
そして、第１の固定金具３１は、天板１３の枠体１５の端部側板３３に設けられた掛止孔３４に嵌入する抜け止めピン３５を備えた垂直板部３６と、垂直板部３６の下端に連接し、天板１３の枠体１５の端部下板３７に当接する水平板部３８と、水平板部３８に取付けられて端部下板３７の内側端部３９に掛止可能に設けられたロック部材４０を有する。また、第２の固定金具３２は第１の固定金具３１の垂直板部３６に回転可能に取付けられる取付け板部４１と、取付け板部４１の両側に垂直にそれぞれ連接する対となる側板部４２、４３を有している。
【００５２】
ここで、抜け止めピン３５は、図４（Ｂ）に示すように、先端部の縁部に丸みが形成され掛止孔３４に嵌入する嵌入部４４と、嵌入部４４より縮径した中間部４５と、中間部４５から基端側の領域で外周にねじ切り加工が施されたねじ加工部４６を有している。また、垂直板部３６の中央部と取付け板部４１の中央部には、それぞれ抜け止めピン３５のねじ加工部４６及び中間部４５が挿通可能な孔４７、４８が形成されている。そして、孔４７、４８の中心位置が一致するように垂直板部３６と取付け板部４１を位置合わせして当接させ、貫通状態になっている孔４７、４８に抜け止めピン３５を孔４７側から挿通し座金４９を介して緩み防止機構を備えたナット５０で締結する。これによって、垂直板部３６に抜け止めピン３５を設けることができる。
また、中間部４５の長さＬは、垂直板部３６の厚みＤ１、取付け板部４１の厚みＤ２の和よりも、例えば、０．１〜１ｍｍ長く形成する。これによって、垂直板部３６と取付け板部４１を座金４９とナット５０で締結した際に垂直板部３６と取付け板部４１の間に０．１〜１ｍｍの幅の隙間を設けることができ、第１の固定金具３１に第２の固定金具３２を回転可能に取付けることができる。
【００５３】
図５（Ａ）〜（Ｃ）に示すように、アウトリガー１１は、一端側にピン５１ａで固定され床面２３に当接して滑り防止を行なう滑り止め５１が設けられた角パイプ５２を有している。滑り止め５１をピン５１ａで固定することにより、床面２３が傾斜していても滑り止め５１を確実に床面２３に当接させることができる。また、角パイプ５２の１つの側面には長手方向に沿って、例えば一定の間隔で孔５４が形成されている。
更に、アウトリガー１１は、角パイプ５２を内部に収納しながら軸方向に移動可能にする相似形状の角パイプ５３を有している。ここで、角パイプ５３の他端側には基部側が中空になったサイドストッパー５５が嵌入されている。そして、図３に示すように、サイドストッパー５５の基部側の対向する側面には中心を合わせて貫通孔５６が形成され、各貫通孔５６に対応する角パイプ５３の位置には孔５７がそれぞれ形成されている。更に、サイドストッパー５５の基部側には、各貫通孔５６を連通するパイプ（カラー）５８が設けられている。
このような構成とすることにより、側板部４２、４３にそれぞれ中心位置を合わせて孔５８ａを形成し、各孔５８ａがパイプ５８で連通されるように側板部４２、４３と角パイプ５３の他端側との位置合せを行なって、孔５８ａ及びパイプ５８にボルト５８ｂを挿通させ緩み防止機構を備えたナット５８ｃで締結して、第２の固定金具３２にアウトリガー１１を取付けることができる。
【００５４】
図６に示すように、角パイプ５２の孔５４が形成されている側面に対向する角パイプ５３の側面では、一端側の中央部に孔５４と同径の孔５９が形成され、角パイプ５２を角パイプ５３の内部で軸方向に移動させて孔５４と孔５９の中心位置が一致して貫通状態になった際に孔５４及び孔５９に嵌入する掛止ピン６０を備えたロック部材６１が設けられている。
ここで、ロック部材６１は、中央に貫通孔６２が形成され、平面視して長円形状となった突出部６３、及びその周囲につば部６４が形成されたロック本体６５と、突出部６３を内側に内装可能な平面視して長円形状となったドーム部（キャップ）６６、及びドーム部６６の中央に取付けられ貫通孔に挿通可能な掛止ピン６０を備えた操作部６７を有している。
そして、操作部６７とロック本体６５は、掛止ピン６０を突出部６３の貫通孔６２に挿通させ、突出部６３の内側に突出した掛止ピン６０にスプリング６８を外装させて掛止金具６９を取付けることにより一体化されている。そして、ロック部材６１は、つば部６４に形成された挿通孔７０にリベット７１を挿通させて角パイプ５３の側面に固定されている。
【００５５】
このような構成とすることにより、突出部６３がドーム部６６の内側に装入されるようにしてドーム部６６がスプリング６８の押圧力で押し込まれると、掛止ピン６０は突出部６３の内側で下方に移動し、角パイプ５３に形成された孔５９を介して角パイプ５２に形成された孔５４に嵌入させて掛止することにより、角パイプ５２の角パイプ５３内での移動をロックすることができる。
これによって、支持脚１４を畳んだ際に、角パイプ５２を角パイプ５３内に収容しロック部材６１の掛止ピン６０を孔５９を介して角パイプ５２に形成された孔５４に嵌入することによりアウトリガー１１の長さを縮小し、第２の固定金具３２を回転させ天板１３の長手方向に沿って配置することができる。
【００５６】
また、操作部６７のドーム部６６を引き上げることにより孔５４から掛止ピン６０を退出させることができ、角パイプ５２のロックを解除することができる。なお、操作部６７を突出部６３の上面側で、例えば９０°回転させることにより、突出部６３がドーム部６６の内側に装入できないようにして、掛止ピン６０の移動を停止することができる。
ここで、操作部６７が引き上げられた状態では、スプリング６８は突出部６３の内面と掛止金具６９の間で圧縮された状態になっているため、掛止金具６９を介して操作部６７は突出部６３側に向けて付勢された状態となっている。このため、操作部６７を突出部６３の上面側で、例えば９０°回転させることによりドーム部６６は下方に移動し、突出部６３がドーム部６６の内側に容易に装入される。
【００５７】
水平板部３８に取付けられて端部下板３７の内側端部３９に掛止可能に設けられたロック部材４０は、例えば、図６に示すロック部材６１と同様の構成にすることができる。このため、同一の構成部材については同じ符号を付して詳細な説明は省略する。
なお、ロック部材４０は、水平板部３８に設けられた貫通孔７２内に掛止ピン６０が嵌入可能なように位置合せを行なって、つば部６４に形成された挿通孔７０にリベット７３を挿通させて水平板部３８に固定されている。
【００５８】
このような構成とすることにより、突出部６３がドーム部６６の内側に装入されるようにしてドーム部６６がスプリング６８の押圧力で押し込まれると、掛止ピン６０を突出部６３の内側で下方に移動させて、天板１３の端部下板３７の内側端部３９に掛止させることができる。また、操作部６７のドーム部６６を引き上げることにより貫通孔７２から掛止ピン６０を退出させることができ、内側端部３９の掛止を解除することができる。なお、操作部６７を突出部６３の上面側で、例えば９０°回転させることにより、突出部６３がドーム部６６の内側に装入できないようにして、掛止ピン６０の移動を停止することができる。
ここで、操作部６７が引き上げられた状態では、スプリング６８は突出部６３の内面と掛止金具６９の間で圧縮された状態になっているため、掛止金具６９を介して操作部６７は突出部６３側に向けて付勢された状態となっている。このため、操作部６７を突出部６３の上面側で、例えば９０°回転させることによりドーム部６６は下方に移動し、突出部６３がドーム部６６の内側に容易に装入されて、掛止ピン６０による内側端部３９の掛止が自動的に行なわれる。
【００５９】
次に、本発明の第１の実施の形態に係る金具装置１０の使用方法について説明する。
先ず、図１、図２に示すように、折り畳まれた支持脚１４を展開して作業台１２を自立させる。
次いで、金具装置１０の水平板部３８に設けられたロック部材４０の操作部６７のドーム部６６を引き下げることにより貫通孔７２から掛止ピン６０を退出させ、更に、操作部６７を突出部６３の上面側で、例えば９０°回転させることにより、突出部６３がドーム部６６の内側に装入できないようにして、掛止ピン６０の移動を停止する。
【００６０】
続いて、図３、図４に示すように、第１の固定金具３１の垂直板部３６に設けられた抜け止めピン３５を天板１３の端部側板３３に設けられた掛止孔３４に嵌入させて当接させる。そして、ロック部材４０の操作部６７を突出部６３の上面側で、例えば９０°回転してドーム部６６を上方に移動させて突出部６３をドーム部６６の内側に装入させて掛止ピン６０を貫通孔７２に嵌入させる。これによって、掛止ピン６０が天板１３の端部下板３７の内側端部３９に掛止され、金具装置１０の天板１３の側部への取付けが完了する。なお、金具装置１０に荷重が加わった際、金具装置１０が脱落するのは抜け止めピン３５により防止され、金具装置１０が天板１３からの引き抜かれるのは掛止ピン６０により防止される。
そして、平面視してアウトリガー１１が天板１３に対して直角方向に伸びるように第２の固定金具３２を回転させながら、ロック部材６１の操作部６７を引き上げて掛止ピン６０によるロックを解除して角パイプ５２を角パイプ５３内から引き出し、床面２３に滑り止め５１が当接される長さに調整して掛止ピン６０で角パイプ５２をロックする。これによって、アウトリガー１１のセットが完了する。
【００６１】
図７（Ａ）、（Ｂ）に示すように、本発明の第２の実施の形態に係る金具装置７４は、第１の実施の形態に係る金具装置１０と比較して、第１の固定金具７９の水平板部７５が垂直板部７６の上端に連接されていることが特徴となっており、構成部材は金具装置１０の構成部材と同一にすることができる。このため、同一の構成部材には同一の符号を付して詳細な説明は省略する。
なお、水平板部７５は天板１３の端部上板７７に設けられた貫通孔７８にロック部材４０の掛止ピン６０を嵌入することにより行なわれる。
【００６２】
また、金具装置７４の天板１３への固定は以下の手順で行なわれる。先ず、作業台１２を自立させ、金具装置７４の水平板部７５に設けられたロック部材４０の掛止ピン６０を水平板部７５の貫通孔７２ａから退出させ、操作部６７を突出部６３の上面側で９０°回転させ掛止ピン６０の移動を停止する。
続いて、第１の固定金具７９の垂直板部７６に設けられた抜け止めピン３５を天板１３の端部側板３３に設けられた掛止孔３４に嵌入させて当接させる。そして、ロック部材４０の操作部６７を突出部６３の上面側で、例えば９０°回転してドーム部６６を下方に移動させて突出部６３をドーム部６６の内側に装入させて掛止ピン６０を貫通孔７２ａを介して天板１３の端部上板７７に設けられた貫通孔７８に嵌入させる。
これによって、掛止ピン６０が天板１３の端部上板７７に掛止され、金具装置７４の天板１３の側部への取付けが完了する。なお、金具装置７４に荷重が加わった際、金具装置７４が脱落するのは抜け止めピン３５及び水平板部７５により防止され、金具装置７４が天板１３からの引き抜かれるのは掛止ピン６０により防止される。
【００６３】
図８（Ａ）、（Ｂ）に示すように、本発明の第３の実施の形態に係る金具装置８０は、第１の実施の形態に係る金具装置１０のロック部材４０の代りに天板１３の端部下板３７の内側端部３９に当接するカム板８１と、カム板８１を回転させるノブ８２を有するカム機構８３を備えたロック部材８４が設けられていることが特徴となっている。このため、同一の構成部材には同一の符号を付して詳細な説明は省略する。なお、８１ａはガイド板である。
このような構成とすることにより、図８（Ｃ）に示すように、ノブ８２を回転させてカム板８１の長手方向を端部下板３７の長手方向に沿うようにして、第１の固定金具８５の垂直板部３６に設けられた抜け止めピン３５を天板１３の端部側板３３に設けられた掛止孔３４に嵌入させて当接させることができる。
そして、ノブ８２を回転させてカム板８１を端部下板３７の内側端部３９に当接させる。これによって、カム板８１が天板１３の端部下板３７の内側端部３９に掛止され、金具装置８０の天板１３の側部への取付けが完了する。なお、金具装置８０に荷重が加わった際、金具装置８０が脱落するのは抜け止めピン３５により防止され、金具装置８０が天板１３からの引き抜かれるのはカム板８１により防止される。
【００６４】
図９（Ａ）、（Ｂ）に示すように、本発明の第４の実施の形態に係る金具装置８６は、第１の実施の形態に係る金具装置１０のロック部材４０の代りに端部下板３７の内側端部３９に掛止可能な掛止爪８７と、掛止爪８７を端部下板３７の内側端部３９に掛止して当接した状態で保持する支点超えリンク機構８８を備えたロック部材８９が設けられていることが特徴となっている。このため、同一の構成部材には同一の符号を付して詳細な説明は省略する。
このような構成とすることにより、図９（Ａ）に示すように、支点超えリンク機構８８のレバー８８ａを引き下げて掛止爪８７を解除状態にして、第１の固定金具９０の垂直板部３６に設けられた抜け止めピン３５を天板１３の端部側板３３に設けられた掛止孔３４に嵌入させて当接させる。そして、図９（Ｂ）に示すように、支点超えリンク機構８８のレバー８８ａを押し上げて掛止爪８７を端部下板３７の内側端部３９側に移動させることにより、掛止爪８７を端部下板３７の内側端部３９に掛止して当接させることができる。
これによって、掛止爪８７が天板１３の端部下板３７の内側端部３９に掛止され、金具装置８６の天板１３の側部への取付けが完了する。なお、金具装置８６に荷重が加わった際、金具装置８０が脱落するのは抜け止めピン３５により防止され、金具装置８６が天板１３からの引き抜かれるのは掛止爪８７により防止される。
【００６５】
図１０（Ａ）、（Ｂ）に示すように、本発明の第５の実施の形態に係る金具装置９０は、金具装置１０と比較して、天板１３の枠体１５の長辺側の側部に当接して固定される第１の固定金具９１が、天板１３の端部側板３３に当接する垂直板部９２と、天板の端部上板７７及び端部下板３７に当接する上下の水平板部９３、９４と、上下の水平板部９３、９４にそれぞれ取付けられて上の水平板部９３を端部上板７７に設けられた貫通孔９５に掛止可能に設けられた第１のロック部材９６と、端部下板３７の内側端部３９に掛止可能に設けられた第２のロック部材９７を有していることが特徴となっている。そして、金具装置９０の構成部材は金具装置１０の構成部材と同一にすることができ、第１及び第２のロック部材９６、９７の構成はロック部材４０の構成と同一にすることができる。このため、同一の構成部材には同一の符号を付して詳細な説明は省略する。
【００６６】
また、金具装置９０の天板１３への固定は以下の手順で行なわれる。先ず、作業台１２を自立させ、金具装置９０の水平板部９３、９４に設けられた第１及び第２のロック部材９６、９７の掛止ピン６０を水平板部９３の貫通孔７２ｂから退出させ、操作部６７を突出部６３の上面側で９０°回転させ掛止ピン６０の移動を停止する。
続いて、第１の固定金具９１の垂直板部９２に設けられた抜け止めピン３５を天板１３の端部側板３３に設けられた掛止孔３４に嵌入させて当接させる。そして、第１のロック部材９６の操作部６７を突出部６３の上面側で９０°回転してドーム部６６を移動させて突出部６３をドーム部６６の内側に装入させて掛止ピン６０を貫通孔７２ｂを介して天板１３の端部上板７７に設けられた貫通孔９５に嵌入させる。
また、第２のロック部材９７の操作部６７を操作してドーム部６６を上方に移動させて突出部６３をドーム部６６の内側に装入させて掛止ピン６０を水平板部９４の貫通孔７２ｃに嵌入させ掛止ピン６０で端部下板３７の内側端部３９を掛止する。これによって金具装置９０の天板１３の側部への取付けが完了する。なお、金具装置９０に荷重が加わった際、金具装置９０が脱落するのは抜け止めピン３５及び水平板部９３により防止され、金具装置９０が天板１３からの引き抜かれるのは上下の掛止ピン６０により防止される。
【００６７】
図１１〜図１５に示すように、本発明の第６の実施の形態に係る金具装置９８は補助部材の一例である手摺り９９を作業台１２に取付けるもので、天板１３の枠体１５の長辺側の側部に当接して固定される第１の固定金具１００と、第１の固定金具１００に手摺り９９の縦桟１０１の下部を直接取付ける第２の固定金具の一例である複数のねじ１０２を有している。
第１の固定金具１００は、天板１３の端部側板３３に設けられた掛止孔３４に抜き差し可能に嵌入する掛止ピン１０３を有するロック部材１０４を一端側に備えた垂直板部１０５と、垂直板部１０５の上端に連接し天板１３の端部上板７７に当接する水平板部１０６と、水平板部１０６に取付けられて端部上板７７に設けられた貫通孔１０７に嵌入する抜け止めピン１０８を有している。更に、垂直板部１０５の他端側には、ねじ１０２を挿通する複数の挿通孔１０９が形成されている。
なお、ロック部材１０４はロック部材４０と同一の構成とすることができるので、同一の構成部材には同一の符号を付して詳細な説明は省略する。また、手摺り９９は隙間を開けて平行に配置された２本の縦桟１０１と、縦桟１０１を水平方向に連結する複数の横桟１１０を有している。更に、各縦桟１０１の上端側には、サイドストッパー（キャップ）１１１が嵌入され、固定ピンを介して縦桟１０１の上端側に固定されている。
【００６８】
次に、本発明の第６の実施の形態に係る金具装置９８の使用方法について説明する。
先ず、図１３〜図１４に示すように、各縦桟１０１の下部に中心位置を合わせて貫通して設けられたねじ孔と挿通孔１０９の位置を合わせる。次いで、ねじ１０２を挿通孔１０９側から装入してねじ孔内を通過させ縦桟１０１から突出させて抑え板１１４を介してナット１１５で締結する。これによって、各縦桟１０１の下部に第１の固定金具１００を固定することができ、金具装置９８を手摺り９９の取付けることができる。
続いて、折り畳まれた支持脚１４を展開して作業台１２を自立させる。また、金具装置９８の垂直板部１０５に設けられたロック部材１０４の操作部６７のドーム部６６を引き上げることにより貫通孔７２から掛止ピン１０３を退出させ、更に、操作部６７を突出部６３の上面側で、例えば９０°回転させることにより、突出部６３がドーム部６６の内側に装入できないようにして、掛止ピン６０の移動を停止する。
【００６９】
そして、図１５に示すように、第１の固定金具１００の水平板部１０６に設けられた抜け止めピン１０８を天板１３の端部上板７７に設けられた貫通孔１０７に嵌入させて、水平板部１０６を端部上板７７に当接させる。次いで、ロック部材１０４の操作部６７を突出部６３の上面側で、例えば９０°回転してドーム部６６を上方に移動させて突出部６３をドーム部６６の内側に装入させて掛止ピン１０３を貫通孔７２に嵌入させる。
これによって、掛止ピン１０３が天板１３の端部側板３３に設けられた掛止孔３４に掛止され、金具装置９８の天板１３の側部への取付けが完了する。なお、金具装置９８に荷重が加わった際、金具装置９８が脱落するのは掛止ピン１０３及ぶ水平板部１０６により防止され、金具装置９８が天板１３からの引き抜かれるのは抜け止めピン１０８により防止される。
【００７０】
図１６、図１７（Ａ）、（Ｂ）に示すように、本発明の第７の実施の形態に係る金具装置１１６は、第３の実施の形態に係る金具装置８０と比較して、第２の固定金具１１７に第２の固定金具１１７が受ける荷重によって自動的に第１の固定金具８５に対する第２の固定金具１１７の移動（回転）を不能にする第１の移動防止機構１１８と、アウトリガー１１が受ける荷重によって自動的にアウトリガー１１を第２の固定金具１１７に対して移動不能にする第２の移動防止機構１１９が設けられていることが特徴となっている。
このため、金具装置８０と同一の構成部材については同一の符号を付して説明を省略し、第１の移動防止機構１１８と、第２の移動防止機構１１９に関してのみ説明する。
【００７１】
第１の移動防止機構１１８は、第１の固定金具８５の垂直板部３６に回転可能に取付けられる第２の固定金具１１７に設けられた取付け板部１２０を有している。そして、取付け板部１２０の上部側には扇形状の切り欠き部１２１が形成され、切り欠き部１２１の縁部には、例えば、周方向に等間隔に複数（実施例では３個）の凹部１２２が形成されている。また、第１の移動防止機構１１８は、垂直板部３６の上端側の中央部に設けられ凹部１２２に嵌入可能な固定ピン１２３を有している。更に、取付け板部１２０に形成され垂直板部３６に設けられた抜け止めピン３５の中間部４５が貫通する孔１２４は上下方向に長い長孔状に形成されている。
このような構成とすることにより、垂直板部３６に対して取付け板部１２０を下方にずらせた状態で金具装置１１６を天板１３に取付けることができる。そして、第１の固定金具８５に対して第２の固定金具１１７を所定角度だけ回転させてから第２の固定金具１１７を上方に滑らせることにより、凹部１２２に固定ピン１２３を嵌入させることができる。これによって、第１の固定金具８５に対して第２の固定金具１１７の回転がロックされる。
【００７２】
第２の移動防止機構１１９は、取付け板部１２０の両側に垂直にそれぞれ連接し先端側が半円形状となる側板部１２５、１２６を有しており、側板部１２５、１２６の先部の下部側には、例えば、周方向に等間隔に凹部１２７が複数（実施例では３個）設けられている。
また、側板部１２５、１２６とそれぞれ対向するアウトリガー１１の角パイプ５３の側面には、中心位置を合わせて長手方向に伸びる長孔１２８がそれぞれ形成され、長孔１２８にはロックピン１２９が挿入されている。更に、ロックピン１２９の中央部には引っ張りバネ１３０の一端側が接続され、引っ張りバネ１３０の他端側はアウトリガー１１を第２の固定金具１１７に取付けているボルト５８ｂに固定されている。
【００７３】
このような構成とすることにより、ロックピン１２９を長孔１２８に沿って下方に引き下げて保持することにより、アウトリガー１１をボルト５８ｂの周りで回転させることができる。
そして、アウトリガー１１を所定角度だけ回転させて長孔１２８と任意の凹部１２７の位置を合わせた後ロックピン１２８の保持を解除すると、ロックピン１２８が引っ張りバネ１３０により付勢されて長孔１２５内を上方に移動し、凹部１２７内に嵌入させることができる。これによって、第２の固定金具１１７に対するアウトリガー１１の回転がロックされる。
【００７４】
次に、本発明の第７の実施の形態に係る金具装置１１６の使用方法について説明する。
先ず、作業台１２を自立させる。次いで、金具装置１１６の水平板部３８に設けられたロック部材８４の掛止ピン６０と垂直板部３６に設けられた抜け止めピン３５を用いて、垂直板部３６に対して取付け板部１２０を下方にずらせた状態で金具装置１１６を天板１３に取付ける。
そして、平面視してアウトリガー１１が天板１３に対して直角方向に伸びるように第２の固定金具１１７を第１の固定金具８５に対して回転させてから第２の固定金具１１７を上方に移動させ、凹部１２２に固定ピン１２３を嵌入させる。これによって、第１の固定金具８５に対して第２の固定金具１１７の回転がロックされる。
次いで、アウトリガー１１に設けられたがロック部材６１の操作部６７を引き上げて掛止ピン６０によるロックを解除して角パイプ５２を角パイプ５３内から引き出し、床面２３に滑り止め５１が当接される長さに調整して掛止ピン６０で角パイプ５２をロックする。
【００７５】
続いてアウトリガー１１に設けられたロックピン１２９を長孔１２８に沿って下方に引き下げて保持しながらアウトリガー１１をボルト５８ｂの周りで回転させ、床面２３の状況に合わせて滑り止め５１が床面２３に確実に当接できるアウトリガー１１の角度に調整しロックピン１２８の保持を解除すると、ロックピン１２８は引っ張りバネ１３０により付勢されて長孔１２５内を上方に移動し、長孔１２８の上端側近傍の凹部１２７内に嵌入する。これによって、第２の固定金具１１７に対するアウトリガー１１の回転がロックされる。これによって、アウトリガー１１のセットが完了する。
【００７６】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の金型装置を構成する場合も本発明の権利範囲に含まれる。
例えば、第１及び第２の実施の形態において、垂直板部に掛止ピンを備えたロック部材を設け、水平板部に抜け止めピンを設けるようにしてもよい。また、抜け止めピン及びロック部材のいずれか一方又は双方を複数設けるようにしてもよい。
第３の実施の形態において、抜け止めピン及びカム機構を備えたロック部材のいずれか一方又は双方を複数設けるようにしてもよい。また、抜け止めピンの代りに掛止ピンを備えたロック部材を使用することもでき、更に、カム機構及び掛止ピンをそれぞれ備えたロック部材のいずれか一方又は双方を複数設けるようにしてもよい。
【００７７】
第４の実施の形態において、抜け止めピン及び支点超えリンク機構を備えたロック部材のいずれか一方又は双方を複数設けるようにしてもよい。また、抜け止めピンの代りに掛止ピンを備えたロック部材を使用することもでき、更に、支点超えリンク機構及び掛止ピンをそれぞれ備えたロック部材のいずれか一方又は双方を複数設けるようにしてもよい。
第５の実施の形態において、垂直板部に抜け止めピンを複数設けるようにしても、抜け止めピンを設けないようにしてもよい。更に、第１及び第２のロック部材のいずれか一方又は双方を複数設けるようにしてもよい。
第７の実施の形態においては、第２の固定金具に第１の移動防止機構及び第２の移動防止機構を設けたが、いずれか一方のみを設けるようにしてもよい。
【００７８】
また、第１、第２、第４、及び第５の実施の形態において、第２の固定金具に第１の移動防止機構及び第２の移動防止機構のいずれか一方又は双方を設けるようにしてもよい。更に、第１〜第５の実施の形態において、第２の固定金具を第１の固定金具に回転可能に設けたが、第２の固定金具を第１の固定金具に回転不可能に設けてもよい。
第６の実施の形態において、第２の固定金具をねじとして手摺りを第１の固定金具に直接取付けるようにしたが、第２の固定金具を、例えば、手摺りの縦桟の下端側を収納してピン固定することが可能な有底の筒形部材として、これを第１の固定金具に取付けるようにしてもよい。
【図面の簡単な説明】
【００７９】
【図１】（Ａ）、（Ｂ）は本発明の第１の実施の形態に係る金具装置を適用してアウトリガーを取付けた作業台の平面図、正面図である。
【図２】同金具装置を適用してアウトリガーを取付けた作業台の側面図である。
【図３】同金具装置の平面図である。
【図４】（Ａ）は同金具装置の断面図、（Ｂ）は第１の固定金具の垂直板部に備えられた抜け止めピンの説明図である。
【図５】（Ａ）は同金具装置で取付けるアウトリガーの平面図及び側面図、（Ｂ）は（Ａ）のａ−ａ矢視断面図、（Ｃ）は（Ａ）のｂ−ｂ矢視断面図である。
【図６】ロック部材のロック状態における一部切り欠き断面図である。
【図７】（Ａ）、（Ｂ）はそれぞれ本発明の第２の実施の形態に係る金具装置の平面図及び断面図である。
【図８】（Ａ）は本発明の第３の実施の形態に係る金具装置の掛止状態を示す一部切り欠き平断面図、（Ｂ）は同金具装置の掛止状態を示す一部切り欠き側断面図、（Ｃ）は同金具装置の掛止前の状態を示す一部切り欠き平断面図である。
【図９】（Ａ）、（Ｂ）は本発明の第４の実施の形態に係る金具装置の掛止状態及び掛止前の状態を示す一部切り欠き側断面図である。
【図１０】（Ａ）、（Ｂ）はそれぞれ本発明の第５の実施の形態に係る金具装置の平面図及び断面図である。
【図１１】本発明の第６の実施の形態に係る金具装置を適用して手摺りを取付けた作業台の正面図である。
【図１２】同金具装置を適用して手摺りを取付けた作業台の側面図である。
【図１３】同金具装置で取付ける手摺りの平面図及び正面図である。
【図１４】同金具装置を取付けた手摺りの説明図である。
【図１５】同金具装置の取付け状態を示す説明図である。
【図１６】本発明の第７の実施の形態に係る金具装置の側面図である。
【図１７】（Ａ）は同金具装置の正面図、（Ｂ）は同金具装置の第２の固定金具に設けられた取付け板部の説明図である。
【図１８】従来例に係る手摺りを取付けた可搬式作業台の説明図である。
【図１９】従来例に係る手摺りの取付け部材の説明図である。
【図２０】従来例に係る手摺りの取付け部材の説明図である。
【符号の説明】
【００８０】
１０：金具装置、１１：アウトリガー、１２：作業台、１３：天板、１４：支持脚、１５：枠体、１６：足場板、１６ａ：孔、１７、１８：脚柱、２０：踏み桟、２１、２２：折り畳み連結機構、２３：床面、２４：開き止め金具、２５、２６：固定板、２７、２８：可動板、２９、３０：枢軸、３１：第１の固定金具、３２：第２の固定金具、３３：端部側板、３４：掛止孔、３５：抜け止めピン、３６：垂直板部、３７：端部下板、３８：水平板部、３９：内側端部、４０：ロック部材、４１：取付け板部、４２、４３：側板部、４４：嵌入部、４５：中間部、４６：ねじ加工部、４７、４８：孔、４９：座金、５０：ナット、５１：滑り止め、５１ａ：ピン、５２：角パイプ、５３：角パイプ、５４：孔、５５：サイドストッパー、５６：貫通孔、５７：孔、５８：パイプ、５８ａ：孔、５８ｂ：ボルト、５８ｃ：ナット、５９：孔、６０：掛止ピン、６１：ロック部材、６２：貫通孔、６３：突出部、６４：つば部、６５：ロック本体、６６：ドーム部、６７：操作部、６８：スプリング、６９：掛止金具、７０：挿通孔、７１：リベット、７２、７２ａ、７２ｂ、７２ｃ：貫通孔、７３：リベット、７４：金具装置、７５：水平板部、７６：垂直板部、７７：端部上板、７８：貫通孔、７９：第１の固定金具、８０：金具装置、８１：カム板、８１ａ：ガイド板、８２：ノブ、８３：カム機構、８４：ロック部材、８５：第１の固定金具、８６：金具装置、８７：掛止爪、８８：支点超えリンク機構、８８ａ：レバー、８９：ロック部材、９０：金具装置、９１：第１の固定金具、９２：垂直板部、９３、９４：水平板部、９５：貫通孔、９６：第１のロック部材、９７：第２のロック部材、９８：金具装置、９９：手摺り、１００：第１の固定金具、１０１：縦桟、１０２：ねじ、１０３：掛止ピン、１０４：ロック部材、１０５：垂直板部、１０６：水平板部、１０７：貫通孔１０７、１０８：抜け止めピン、１０９：挿通孔、１１０：横桟、１１１：サイドトッパー、１１４：抑え板、１１５：ナット、１１６：金具装置、１１７：第２の固定金具、１１８：第１の移動防止機構、１１９：第２の移動防止機構、１２０：取付け板部、１２１：切り欠き部、１２２：凹部、１２３：固定ピン、１２４：孔、１２５、１２６：側板部、１２７：凹部、１２８：長孔、１２９：ロックピン、１３０：引っ張りバネ
【図１】
2005330707.tif 000003
【図２】
2005330707.tif 000004
【図３】
2005330707.tif 000005
【図４】
2005330707.tif 000006
【図５】
2005330707.tif 000007
【図６】
2005330707.tif 000008
【図７】
2005330707.tif 000009
【図８】
2005330707.tif 000010
【図９】
2005330707.tif 000011
【図１０】
2005330707.tif 000012
【図１１】
2005330707.tif 000013
【図１２】
2005330707.tif 000014
【図１３】
2005330707.tif 000015
【図１４】
2005330707.tif 000016
【図１５】
2005330707.tif 000017
【図１６】
2005330707.tif 000018
【図１７】
2005330707.tif 000019
【図１８】
2005330707.tif 000020
【図１９】
2005330707.tif 000021
【図２０】
2005330707.tif 000022